(57)【特許請求の範囲】
【請求項１】
被写体を撮像するための近赤外（ＮＩＲ）光光学撮像デバイスと併用するための、光学撮像デバイスキャップであって、
前記撮像デバイスは：
本体；
前記本体内に配置される３つの第１の光学送受信機及び少なくとも１つの第２の光学送受信機；並びに
前記光学撮像デバイスキャップが設置される設置表面
を備え、
前記設置表面は、略平面の設置面と、前記面の外周から延在する外壁とを有し、
前記外壁及び前記面は設置表面内容積を画定し、
前記設置面は複数の開口を備え、前記複数の開口は、所定の構成で配置され、かつ前記第１の光学送受信機及び前記第２の光学送受信機を受承するように適合される、光学撮像デバイスキャップにおいて、
前記光学撮像デバイスキャップは、ベロー支持板と、前記ベロー支持板に封止係合される変形可能なベローとを備え、
前記ベロー支持板は：
前記デバイスキャップを前記設置表面内容積内に設置したときに前記設置面に係合するよう成形された第１の支持板面；
前記撮像される被写体の表面に面するように構成された第２の支持板面；
３つの固定ハウジングであって、前記３つの固定ハウジングはそれぞれ、固定光導体を受承するよう適合され、前記固定光導体はそれぞれ、前記第１の光学送受信機のうちの１つに対応する、３つの固定ハウジング；
可動光導体を受承するように適合された少なくとも１つの変形可能なハウジングであって、前記少なくとも１つの第２の光学送受信機に対応する、少なくとも１つの変形可能なハウジング
を備え、
前記固定ハウジング及び前記変形可能なハウジングはそれぞれ、前記撮像される被写体の前記表面に接触するように適合された先端を有し、
前記変形可能なベローは、第１の周囲リムと第２の周囲リムとを画定する略Ｃ字形の断面プロファイルを有し、前記第１の周囲リムは、前記ベロー支持板に封止係合し、
使用時に、前記ベローの前記第２の周囲リムは、前記撮像される被写体の前記表面に接触し、前記ベローは変形することによって、前記固定ハウジング及び前記変形可能なハウジングの先端を前記撮像される被写体の前記表面に接触させる、光学撮像デバイスキャップ。
【請求項２】
前記第１の周囲リムは、前記デバイスキャップを前記設置表面内容積内に設置した時に、前記設置表面の前記外壁内にフィットする、請求項１に記載のキャップ。
【請求項３】
使用時に、空気を前記デバイスの外部から前記ベローの内部へと通過させるための空気流入システムを更に備える、請求項１又は２に記載のキャップ。
【請求項４】
前記空気流入システムは、前記第１の支持板面と前記第２の支持板面との間に、１つ又は複数の空気孔を備える、請求項３に記載のキャップ。
【請求項５】
前記空気流入システムは更に、前記ベローの前記第１の周囲リムに、１つ又は複数の溝を備える、請求項３又は４に記載のキャップ。
【請求項６】
前記空気流入システムは更に、前記ベローの前記第１の周囲リムの前記１つ又は複数の溝に対応する、前記ベロー支持板上の１つ又は複数の開口を備える、請求項５に記載のキャップ。
【請求項７】
前記設置表面は、前記デバイスの前記本体に取り付けられた、固定基板として形成され、
前記第１の支持板面は、前記固定基板と嵌合係合するように成形される、請求項１に記載のキャップ。
【請求項８】
前記固定基板は更に、前記基板の前記開口それぞれの周囲の隆起プロファイルを備え、
前記第１の支持板面は、前記隆起プロファイルを受承することによって、前記第１の支持板面と前記固定基板の面との嵌合係合を提供する、凹部を備える、請求項７に記載のキャップ。
【請求項９】
前記デバイスキャップは更に、前記ベロー支持板を前記固定基板に可逆的に取り付けるための取付手段を備える、請求項７又は８に記載のキャップ。
【請求項１０】
前記取付手段は、タブ‐スロット機構を備え、
前記タブは前記ベロー支持板上に配置され、前記スロットは前記基板の外壁上に配置される、請求項９に記載のキャップ。
【請求項１１】
前記ベローは更に、前記第２の周囲リムに、非直線状の、径方向に配置された溝を備える、請求項１〜１０のいずれか１項に記載のキャップ。
【請求項１２】
前記径方向に配置された溝は、Ｓ字型である、請求項１１に記載のキャップ。
【請求項１３】
前記少なくとも１つの変形可能なハウジングは、２つの変形可能なハウジングである、請求項１〜１２のいずれか１項に記載のキャップ。
【請求項１４】
前記固定ハウジングは、三角形を形成する、請求項１〜１３のいずれか１項に記載のキャップ。
【請求項１５】
前記三角形は正三角形である、請求項１４に記載のキャップ。
【請求項１６】
前記少なくとも１つの変形可能なハウジングは、前記固定ハウジングによって形成された前記三角形の縁部に位置する、請求項１４又は１５に記載のキャップ。
【請求項１７】
前記ベロー支持板は、ポリマー材料から形成される、請求項１〜１６のいずれか１項に記載のキャップ。
【請求項１８】
前記ポリマー材料は、任意に近赤外光吸収剤が添加された、ＡＢＳプラスチックである、請求項１７に記載のキャップ。
【請求項１９】
前記ベローは、シリコーンポリマーから形成される、請求項１〜１８のいずれか１項に記載のキャップ。
【請求項２０】
被写体を撮像するための近赤外（ＮＩＲ）光光学撮像デバイスであって、
前記撮像デバイスは：
本体；
前記本体内に配置される３つの第１の光学送受信機及び少なくとも１つの第２の光学送受信機；
前記本体上に配置された設置表面であって、前記設置表面は、略平面状の設置面と、前記面の外周から延在する外壁とを有し、前記外壁及び前記面は、設置表面内容積を画定し、前記設置面は複数の開口を備え、前記複数の開口は、所定の構成で配置され、かつ前記第１の光学送受信機及び前記第２の光学送受信機を受承するように適合される、設置表面；並びに
前記設置表面に設置される、請求項１〜１９のいずれか１項において定義されるデバイスキャップ
を備える、近赤外（ＮＩＲ）光光学撮像デバイス。
【発明の詳細な説明】
【技術分野】
【０００１】
本発明は、光学的撮像の分野に関し、特に、血腫を検出するための光学撮像デバイスに関する。
【背景技術】
【０００２】
血腫は、臓器、腔、又は組織内の、通常は凝固した溢血（例えば、破裂血管等からの血液）の局所的蓄積であり、打撲及び目の周りの黒あざはよく知られている形態であり、重症であることはほとんどない。血腫は、頭蓋骨の内側を含む身体のほとんど至る所に発生でき、ほとんどの場合、骨折を伴い、軽傷の場合には、感染症が起きなければ血液は吸収される。
【０００３】
頭蓋骨内の血腫は、脳に対する局所的な圧力を生成し得るため、特に深刻である。頭蓋骨内の血腫のうち最も一般的な２種は、硬膜外（脳及び脳の線維性の被膜である硬膜の外側であるが、頭蓋骨の下）血腫、並びに硬膜下（脳と脳の硬膜との間）血腫とである。頭蓋骨内で発生する他のタイプの血腫としては、脳内（脳組織内の）血腫、及びくも膜下（硬膜とくも膜との間の脳の表面にわたる）血腫が挙げられる。このような血腫は、頭部損傷又は頭部外傷といった多くの原因により、及び出血性疾患又は動脈瘤によって、発生し得る。
【０００４】
硬膜下血腫は通常、重度の頭部損傷の結果として生じる。硬膜下血腫がこのようにして生じる場合、これは典型的には急性硬膜下血腫と呼ばれる。急性硬膜下血腫は、出血が脳領域を急速に充填することによって脳組織を圧迫し、脳損傷をもたらす可能性があるため、最も死亡率の高い頭部損傷のうちの１つである。
【０００５】
また、硬膜下血腫は、特に負傷者が高齢者の場合には、軽度の頭部損傷によっても生じ得る。このような血腫は、長期間にわたって（例えば数日から数週間も）気付かれないまま進行してしまう可能性があり、慢性硬膜下血腫と呼ばれることが多い。硬膜下血腫ができると、脳の表面と脳の硬膜との間の非常に細い血管が伸びて破れ、その結果、血液が蓄積される。高齢者の場合、このような血管は、脳の萎縮又は収縮によって伸びることが多く、そのため比較的容易に損傷する。
【０００６】
頭部又は頭蓋骨内の血腫に伴うマイナスの結果により、適切な医学的処置及び外科的処置（例えば血腫の除去）を適時に実施することによって死亡及び／又は生存者の予後悪化の可能性を低減できるよう、このような頭蓋骨内の血腫を特定して位置を確認できる必要がある。このような適時の治療とは、損傷の発生からおよそ４時間での血腫の除去である。
【０００７】
外傷性の頭部損傷における血腫の検出及び撮像のための標準治療は、コンピュータ断層撮影（ＣＴ）スキャン又は磁気共鳴映像法（ＭＲＩ）のいずれかである。急性血腫は、頭部損傷による死亡原因の第１位であり、死亡率は５０〜６０％である。死亡率は、外傷性の頭部損傷後の「ゴールデンアワー」以内での診断及び治療によって低下させることができる。しかしながら、ＣＴ及びＭＲＩは、大規模な医療センターで採用される後段の技術であるために、損傷から診断までにかかる時間は通常、少なくとも１時間であり、その後の治療はゴールデンアワーの時間外となってしまう。
【０００８】
慢性出血は、出血の発生をチェックするために継続的に監視される場合が多い。副次的な懸念としては、放射線被曝を低減するために、ＣＴスキャンの回数を一般に（特に小児集団では）減らす必要があるとの考えが増えていることが挙げられる。反復ＣＴは、小児集団の外傷性脳損傷（ＴＢＩ）の一般的な形態である慢性血腫を監視するために選択される方法である。
【０００９】
ＣＴスキャン及びＭＲＩは、外傷性頭蓋内血腫を特定して位置を確認するために使用できる撮像技術であるが、全ての医療施設（例えば外傷センター）が必ずしも毎日２４時間、即時にＣＴスキャン及びＭＲＩを行うことができるわけではないため、このようなケースにおいて、これらのスキャンを実施して、望ましい時間枠内で特定された血腫を除去できない場合がある。また、血腫を処置する手術が必要な患者を適時に特定することは、世界中の後進地域における、又は毎日２４時間ＣＴスキャン若しくはＭＲＩを行うことができる外傷センターへのアクセスが制限されている、若しくは負傷者のいる場所から治療施設までの移動時間の問題がある地域（例えば農村地域若しくは戦場）における、頭部外傷等の緊急時には、より困難であり得る。
【００１０】
このように望ましい時間枠内でＣＴスキャンを行うことができない環境においては、血腫の患者を特定するための一次的方法は、神経学的検査による方法となる。しかしながら、神経学的検査は、１つの身体的症状では血腫の存在を確実に示すことはできないため、ＣＴスキャンの代替とすることは難しい。局所神経学的所見は、外科的血腫を有する患者のごく一部にしか見られない。重度の頭部損傷を煩った患者の大半で、外科的血腫の発生を伴わない昏睡の発生が報告されている。頭蓋内血腫の患者には頭蓋内圧亢進（ＩＣＰ）が現れるが、ＩＣＰ関連する視神経乳頭の浮腫（乳頭浮腫）は、頭部損傷後にはめったに現れない。
【００１１】
血腫のタイプを確実に決定できなくても、何らかのタイプの血腫が存在するということは、脳神経学的診断や手術を行うことができる病院への患者のトリアージを即時に行うために、現場において必要な唯一の情報である。
【００１２】
従って、臨床医、医療スタッフ、救命救急士、野外医療従事者等がＣＴスキャンシステム又はＭＲＩシステムのような撮像システム又は技術を使用しなくても、病院のＥＲ環境や、戦場、農村地域、若しくは世界の発展途上地域での使用を含む広範囲の環境において、このような血腫を検出できるデバイスを提供することが望ましい。
【００１３】
血腫を検出するために近赤外線（ＮＩＲ）スペクトルを利用する撮像技術が存在し、その例は、特許文献１及び２に記載されている。
【００１４】
国際公開第２００６／１２１８３３号は、着脱式導光アセンブリを備えた、放射線を放出及び検出するための携帯用デバイスを含む、脳の血腫を判断するためシステムの方法を開示している。脳の血腫の状態を判断する方法は、近赤外分光法を使用して脳の様々な領域の光学密度を判断することを含む。上記公開公報では、記載されているデバイスは頭部の所定位置に位置決めされ、このデバイスを使用してデータが取得される。上記デバイスは、この位置のデータを取得した後、別の位置に再配置され、新しい位置で別のデータセットが取得される。このデバイスの再配置及びデータセットの取得は、上記デバイスを頭部の全ての可能な位置又は望ましい位置に配置するまで繰り返される。
【００１５】
国際公開第２０１１／０８４４８０号は、患者の組織内の血腫を検出するための方法、装置、及びデバイスを開示している。一態様では、この方法は、非固定式近赤外発光体から近赤外光を上記組織に連続的に放射すること、及び反射光を連続的に検出するために非固定式プローブを使用して上記組織を監視することを含む。近赤外光は、患者の脳から少なくとも２つの距離において放射され、これにより、放射された光は２つの異なる深さに到達する。この方法はまた、反射光にレシオメトリック分析を適用して、正常な組織と血液貯留を示す組織との境界を見分けることを含む。
【００１６】
これらの技術は携帯用デバイスを使用した血腫の検出を可能にするが、平坦でない表面での使用に好適でありながら、周辺光の侵入を効果的に防止することにより信号対雑音比を改善できる技術が、依然として必要である。
【００１７】
この背景技術の情報は、本願出願人が本発明に関連する可能性があると考える情報を明らかにするために示されている。上述の情報のいずれかが本発明に対する先行技術を構成することを承認することを必ずしも意図しておらず、またそのように解釈してはならない。
【発明の概要】
【００１８】
本発明の目的は、光学撮像デバイス及び撮像デバイスと併用するための着脱式キャップを提供することである。本発明の一態様によれば、被写体を撮像するための近赤外（ＮＩＲ）光光学撮像デバイスと併用するための光学撮像デバイスキャップが提供される。撮像デバイスは、本体と、上記本体内に配置される３つの第１の光学送受信機及び少なくとも１つの第２の光学送受信機と、上記デバイスキャップが設置される設置表面とを備える。上記設置表面は、略平面の設置面と、上記面の外周から延在する外壁とを有し、上記外壁及び上記面は設置表面内容積を画定し、上記設置面は複数の開口を備え、上記複数の開口は、所定の構成で配置され、かつ上記第１の光学送受信機及び上記第２の光学送受信機を受承するように適合される。上記光学撮像デバイスキャップは、ベロー支持板と、上記ベロー支持板に封止係合される変形可能なベローとを備える。上記ベロー支持板は：上記デバイスキャップを上記設置表面内容積内に設置したときに上記設置面に係合するよう成形された第１の支持板面と；上記撮像される被写体の表面に面するように構成された第２の支持板面と；３つの固定ハウジングであって、上記３つの固定ハウジングはそれぞれ、固定光導体を受承するよう適合され、上記固定光導体はそれぞれ、上記第１の光学送受信機のうちの１つに対応する、３つの固定ハウジングと；可動光導体を受承するように適合された少なくとも１つの変形可能なハウジングであって、上記少なくとも１つの第２の光学送受信機に対応する、少なくとも１つの変形可能なハウジングとを備える。上記固定ハウジング及び上記変形可能なハウジングはそれぞれ、上記撮像される被写体の上記表面に接触するように適合された先端を有する。上記変形可能なベローは、第１の周囲リムと第２の周囲リムとを画定する略Ｃ字形の断面プロファイルを有し、上記第１の周囲リムは、上記ベロー支持板に封止係合し、使用時に、上記ベローの上記第２の周囲リムは、上記撮像される被写体の上記表面に接触し、上記ベローは変形することによって、上記固定ハウジング及び上記変形可能なハウジングの先端を上記撮像される被写体の上記表面に接触させる。
【００１９】
本発明の別の態様によれば、被写体を撮像するための近赤外（ＮＩＲ）光光学撮像デバイスが提供される。上記撮像デバイスは、本体と、上記本体内に配置される３つの第１の光学送受信機及び少なくとも１つの第２の光学送受信機と、上記本体上に配置された設置表面に設置される本発明のデバイスキャップとを備え、上記設置表面は、略平面状の設置面と、上記面の外周から延在する外壁とを有し、上記外壁及び上記面は、設置表面内容積を画定し、上記設置面は複数の開口を備え、上記複数の開口は、所定の構成で配置され、かつ上記第１の光学送受信機及び上記第２の光学送受信機を受承するように適合される。
【図面の簡単な説明】
【００２０】
【図１Ａ】本発明の一実施形態に係る光学撮像デバイスの斜視図である。
【図１Ｂ】本発明の一実施形態に係る光学撮像デバイスの端面図である。
【図２Ａ】本発明の一実施形態に係る光学撮像デバイスの側断面図である。
【図２Ｂ】本発明の一実施形態に係る光学撮像デバイスの分解側面図である。
【図３】本発明の一実施形態に係る着脱式キャップの底面図である。
【図４】本発明の一実施形態に係る着脱式キャップの斜視図である。
【図５】本発明の一実施形態に係る着脱式キャップの分解図である。
【図６】本発明の一実施形態に係る着脱式キャップの断面図である。
【図７Ａ】本発明の一実施形態に係る光学撮像デバイスの斜視図である。
【図７Ｂ】本発明の一実施形態に係る光学撮像デバイスの正面図である。
【図７Ｃ】本発明の一実施形態に係る光学撮像デバイスの背面図である。
【図８】本発明の一実施形態に係る光学撮像デバイスの分解図である。
【図９】本発明の一実施形態に係る基板の上面斜視図である。
【図１０】図９の基板の底面斜視図である。
【図１１】本発明の一実施形態に係るベロー支持板の斜視図である。
【図１２Ａ】図１１のベロー支持板の上面図である。
【図１２Ｂ】図１１のベロー支持板の底面図である。
【図１３】本発明の一実施形態に係るベローの斜視図である。
【図１４】本発明の一実施形態に係る着脱式キャップの斜視図である。
【図１５】本発明の一実施形態に係る着脱式キャップの断面図である。
【図１６】本発明の一実施形態に係る着脱式キャップの分解図である。
【図１７】本発明の一実施形態に係る基板を組み付けた状態の着脱式キャップの斜視図である。
【図１８】本発明の一実施形態に係る、着脱式キャップが取り付けられた状態の光学撮像デバイスの斜視図である。
【図１９】本発明の一実施形態に係る、着脱式キャップが取り外された状態の光学撮像デバイスの斜視図である。
【図２０】本発明の一実施形態に係る光学撮像デバイスの分解図である。
【発明を実施するための形態】
【００２１】
定義
用語「頭蓋内出血（ｉｎｔｒａｃｒａｎｉａｌ  ｂｌｅｅｄｉｎｇ）」と「頭蓋内血腫（ｉｎｔｒａｃｒａｎｉａｌ  ｈｅｍａｔｏｍａ）」は、区別しないで使用されるものとし、硬膜外血腫、硬膜下血腫、脳内血腫、くも膜下血腫、並びに片側性及び両側性血腫を含む、患者の頭蓋骨内のあらゆる血液の貯留を包含する。
【００２２】
「硬膜外血腫（ｅｐｉｄｕｒａｌ  ｈｅｍａｔｏｍａ）」は、頭部内部の、血液は脳及び脳の線維性被膜である硬膜の外側であるが頭蓋骨の下に蓄積する又は溜まる血腫を意味すると理解されたい。
【００２３】
「硬膜下血腫（ｓｕｂｄｕｒａｌ  ｈｅｍａｔｏｍａ）」は、頭部内部の、血液が脳と硬膜との間に蓄積する又は溜まる血腫を意味すると理解されたい。
【００２４】
「脳内血腫（ｉｎｔｒａｃｅｒｅｂｒａｌ  ｈｅｍａｔｏｍａ）」又は「脳内大出血（ｉｎｔｒａｃｅｒｅｂｒａｌ  ｈｅｍｏｒｒｈａｇｅ）」は、頭部内部の、血液が脳組織内に蓄積する又は溜まる血腫を意味すると理解されたい。
【００２５】
「硬膜下血腫（ｓｕｂａｒａｃｈｎｏｉｄ  ｈｅｍａｔｏｍａ）」又は「硬膜下大出血（ｓｕｂａｒａｃｈｎｏｉｄ  ｈｅｍｏｒｒｈａｇｅ）」は、頭部内部の、血液が脳の表面の硬膜とくも膜との間に蓄積する又は溜まる血腫を意味すると理解されたい。
【００２６】
「頭蓋外出血（ｅｘｔｒａ  ｃｒａｎｉａｌ  ｂｌｅｅｄ）」は、患者の頭蓋骨の外側のあらゆる血液貯留を指すものとする。
【００２７】
「片側性血腫（ｕｎｉｌａｔｅｒａｌ  ｈｅｍａｔｏｍａ）」は、頭部内部の、血液蓄積又は貯留が頭部の片側で発生する血腫を意味すると理解されたい。
【００２８】
「両側性血腫（ｂｉｌａｔｅｒａｌ  ｈｅｍａｔｏｍａ）」は、頭部内部の、血液蓄積又は貯留が頭部の両側で発生する血腫を意味すると理解されたい。
【００２９】
用語「患者（ｐａｔｉｅｎｔ）」と「対象者（ｓｕｂｊｅｃｔ）」は、区別しないで使用されるものとし、ヒト及び動物界の他の生き物を含むと理解されたい。
【００３０】
用語「光学送受信機（ｏｐｔｉｃａｌ  ｔｒａｎｓｃｅｉｖｅｒ）」は、光ファイバ送受信機を説明するために使用される。本開示では、用語「光学送受信機」は、発光体（若しくは光源）又は光検出器としてのみ動作するデバイスを指すことも意図している。
【００３１】
別段の定義がなければ、本明細書内で使用される全ての科学技術用語は、本発明が属する技術分野の技術者に一般に理解される意味と同じ意味を有する。
【００３２】
本明細書に開示されているように、近赤外（ＮＩＲ）光検出を採用した、頭蓋内血腫検出用の携帯用光学撮像デバイスが提供される。ＮＩＲ検出による頭蓋内血腫の特定は、血管外の血液が血管内の血液より多くのＮＩＲ光を吸収することにより可能になる。これは、血腫内のヘモグロビン濃度が、血液が血管内に内包された脳組織におけるヘモグロビン濃度より高いためである。従って、血腫を含む組織のＮＩＲ光の吸光度は、損傷のない組織の吸光度より高くなる（及び反射光は少なくなる）。
【００３３】
従って、上記携帯用光学撮像デバイスは、複数の光学送受信機を備える。一実施形態では、上記複数の光学送受信機は、１つ又は複数のＮＩＲ光源と、２つ以上のＮＩＲ光検出器とを備える。
【００３４】
現場での、例えば救急車内での、スポーツイベントのサイドラインでの、又は戦場での上記デバイスの使用を容易にするために、上記デバイスは、手での操作のために、また便利な可搬性のために好適なサイズ及び形状の本体を有する。更に上記デバイスは、厳しい環境又は遠隔環境での使用に適するように、ロバストな設計にしなければならない。
【００３５】
更に上記撮像デバイスは、典型的には患者の頭部の撮像に使用されるため、清潔な状態での使用のために提示する必要がある。従って、確実に清潔にするために、上記デバイスには、撮像される被写体の表面と接触し得る全ての部分を覆う着脱式キャップが設けられる。また、上記着脱式キャップは、光密性を損なうものであってはならない。上記着脱式キャップは、安全であると同時に、装着及び取り外しが容易であるように設計されなければならない。
【００３６】
従って、本発明によれば、上記携帯用光学撮像デバイスは、上記携帯用撮像デバイスの本体への取り付けに適した着脱式キャップを備える。上記着脱式キャップは、ベロー支持板と、上記ベロー支持板に設置されるベローとを備える。一実施形態では、上記着脱式キャップの上記ベロー支持板は、適切に構成された設置表面上の上記デバイスの上記本体に直接設置される。一実施形態では、上記着脱式キャップの上記ベロー支持板は、上記デバイスの上記本体に取り付けられた固定基板を介して、上記本体に取り付けられる。
【００３７】
上記デバイスは、使用時に、撮像される被写体（例えば対象者の頭蓋骨）の表面上を通過しながら、上記表面にＮＩＲを照射する。頭蓋骨の表面は滑らかではないことも、頭蓋骨は完全な円形でないことも認識されている。従って、本発明によれば、上記着脱式キャップは、平坦でない表面での使用に適したものでなければならない。
【００３８】
上記着脱式キャップは、ＮＩＲ光を所望の位置に到達させ、かつ所望の位置からＮＩＲを検出できなければならない。上記着脱式キャップはまた、外部（周辺）光を排除して、周辺光との組織相互作用が、人工的に供給された光との組織相互作用と共に測定されないことを保証することで、信号対雑音比を改善し、偽陽性又は偽陰性の測定値の発生率を低減できなければならない。従って、上記着脱式キャップは、上記デバイスの個々の要素間の封止係合によって、例えば、上記着脱式キャップと上記デバイスの設置表面との間の嵌合係合によって、又は上記基板が採用される場合には、上記固定基板と上記着脱式キャップとの間の嵌合係合によって、光の漏れを防ぐように設計される。隣接する表面間の嵌合係合は、一方の表面上の開口の周囲に位置する隆起プロファイルと、隣接する表面上の対応する凹部との嵌め合いによって提供できる。また、光の侵入は、上記着脱式キャップの装着時に、上記設置表面と上記ベロー支持板との間の境界面を覆うように上記デバイスの上記設置表面の外周から延在する、外壁の存在によって防止してもよい。
【００３９】
更に、光を内反射させない材料、例えば、マット仕上げした材料、又はＮＩＲ吸収剤が添加されたポリマー材料を使用することで、光の漏れを最小限に抑えることもできる。一実施形態では、支持板（及び上記基板が存在する場合は上記基板）は、ポリマー材料で製造される。好ましい実施形態では、上記ポリマー材料は、ＡＢＳプラスチックである。一実施形態では、上記支持板及び（上記基板が存在する場合は）上記基板はそれぞれ、単一部品として製造される。
【００４０】
上記着脱式キャップは、可撓性ベローの存在によって、上記キャップと撮像される上記被写体の表面との間の光の漏れが防止されるようにも設計される。上記ベローは、上記撮像デバイスにとって、撮像される上記被写体（一般には患者の頭部）との境界面となる。従って上記ベローは、生体適合性材料で製造されるのが好ましい。一実施形態では、上記ベローは、医療グレードのシリコーンで製造される。一実施形態では、上記ベローは、マットブラック仕上げが施される。
【００４１】
更に、上記撮像デバイスは、平坦でない表面を有する被写体（例えば頭蓋骨）を撮像するために使用されるため、上記ベローは、連続的に変化するＣｎ（ｎ＞０）表面に適合するのに十分な可撓性を有する材料で製造する必要がある。上記ベローにとって適切なデュロメータ等級を選択することにより、遮蔽環境を確実に形成できる。上記ベローは、円形又は三角形を含むがこれらに限定されない、用途に必要となり得る任意の適切な形状で提供してよい。一実施形態では、上記ベローは、以下でより詳細に説明するように、好ましい構成によれば、アクティブな撮像領域の形状を反映する三角形の形状を有する。この実施形態では、上記ベローの三角形のプロファイルは、ユーザに対する方向ガイドとして作用して、撮像プロセスを容易にする。更なる実施形態では、例えば、アクティブ領域の外周の位置、又は１つ若しくは複数の光学送受信機の位置を示すことによって、撮像要素に関する追加の情報を提供するために、上記ベローにマークが施される。これらのガイドマークは、隆起リブ、溝若しくは着色ラインの形態、又は上記ベローの外表面に配置される他のマークであってよい。
【００４２】
一実施形態では、上記ベローはベロー支持板に取り付けられ、上記ベロー支持板は、撮像される上記被写体の上記表面と相互作用するように構成される。この点に関して、上記支持板は複数の光導体を備え、各上記光導体は、上記撮像デバイスの上記本体内部に位置する各光学送受信機に対応する。各上記光導体は、それぞれのハウジング内に配置される。好ましい実施形態では、上記支持板は、３つの固定ハウジングと、撮像される表面に向かって延在する少なくとも１つの変形可能なハウジングとを備える。更に、上記固定ハウジング及び上記変形可能なハウジングはそれぞれ、使用中に、撮像される上記被写体の上記表面に接触する先端を有する。
【００４３】
一実施形態では、上記光導体は、光学的に透明な材料で形成される。一実施形態では、上記光学的に透明な材料は、光学的に透明なアクリルである。一実施形態では、上記光導体は、内部光反射を引き起こさないようにマット仕上げした内部を有する。好ましい実施形態では、上記光導体は、典型的には軟質組織である撮像される上記被写体の上記表面との良好な接触を確実にするために、丸い先端を備える。
【００４４】
別の好ましい実施形態では、毛管現象により流体又は汚染物質が上記デバイスに流入しないように、中実の透明なコアが採用され、これにより、上記光導体の閉塞又はセンサの損傷を回避できる。
【００４５】
一実施形態では、上記撮像デバイスの３つの上記光学送受信機は、三角形の構成で配置される。好ましい実施形態では、上記三角形は正三角形である。別の実施形態では、３つの上記光学送受信機は、１つのＮＩＲ光源と、２つのＮＩＲ光検出器とを備える。この正三角形の構成により、確実に、３つの上記固定ハウジング全てが、連続的に変化するＣｎ（ｎ＞０）表面に同時に接触できる状態を維持しながら、上記光検出器を上記光源から適切に離間させることができる。この正三角形の配置はまた、上記デバイスを上記被写体表面上に配置したときに、最も安定性のある３点基部を提供する。
【００４６】
上記固定ハウジングによって形成された正三角形の内部に配置される、変形可能なハウジングにより、更なる接触点が提供される。好ましい実施形態では、２つの変形可能なハウジングを上記三角形の縁部に配置することにより、最適な安定基部が維持される。またこれにより、上記検出器が直線状配置において異なる複数の離間状態に維持され、その結果、光感度、及び上記デバイスの内包物の検出精度を向上させることができる。
【００４７】
上記変形可能なハウジングはばね懸架式であり、データに影響を及ぼす恐れのある任意の水平方向の移動を防ぐように設計される。ばねは、光の漏れを防ぐために、重複した構成の幾何学的形状によって、光路から隠される。更に、上記ばねは、任意の可能性のある生物学的汚染（血液／毛）から上記検出器を保護するために、上記検出器と上記光導体との間に配置される。一実施形態では、上記ばねは、円形キャップによって定位置に保持される。一実施形態では、上記ばねは、ばね板によって定位置に保持される。一実施形態では、上記ハウジング内での上記光導体の変位は、ステーによって制限される。
【００４８】
上記ベロー支持板の上記固定ハウジング及び上記変形可能なハウジングの上記先端は、不使用時には、上記ベローの下部周囲リムより上に位置する。従って、上記ハウジングの上記先端及びそこに収容される上記光導体が、撮像される上記被写体の上記表面に確実に接触するように、上記ベローが圧縮されることが必須要件である。
【００４９】
更に、上記着脱式キャップは、使用時に、「真空」シール部の形成又は吸引作用を回避ように設計される必要があり、これにより、上記デバイスは確実に、光の漏れを回避しながら、撮像される上記表面を、妨害されることなく移動できる。従って、一実施形態では、上記着脱式キャップは、使用時に、上記ベローの内部に周辺光を侵入させずに、上記ベローの内部に空気を流入させることができる、空気流入システムを備える。
【００５０】
上記空気流入システムの一実施形態では、上記ベローの上部周囲リムには、上記着脱式キャップを上記デバイスの上記本体に装着したときに、上記着脱式キャップの内部に空気を流入させながら、外部と内部との間の直接的な見通し線を防止する、溝、又は隙間が設けられる。一実施形態では、空気は、上記キャップと上記本体との間の境界面の小さな隙間から、光を侵入させずに通過できる。このような実施形態では、上記ベローの内部に空気を流入させることができるように、上記支持板に１つ又は複数の空気孔が設けられる。
【００５１】
上記空気流入システムの一実施形態では、上記ベローの上記下部周囲リムには、上記ベローの外部と内部との間の直接的な見通し線を防止する、Ｓ字型溝が設けられる。従って、上記上部周囲リムの上記隙間又は上記下部周囲リムの上記Ｓ字型溝は、光をトラップするように作用すると同時に、空気通路を形成でき、これにより、上記可撓性ベローが撮像される上記被写体の表面に対して「封着する（ｓｅａｌｉｎｇ）」のを防ぎ、上記デバイスが使用時に上記表面を自由に移動できるようにする。上記ベロー材料にも、光の反射を最小限に抑えるためにマット仕上げが施されてよい。
【００５２】
上記携帯用光学撮像デバイスは、ユーザの手の中に収まるよう成形及びサイズ設定された本体を備える。
【００５３】
本発明によれば、上記着脱式キャップの上記変形可能なベローを患者の頭部の表面に押しつけ、上記固定ハウジング及び上記変形可能なハウジングの上記先端を上記頭部の上記表面に接触させることによって、上記デバイスを使用して血腫又は出血性事象の有無が判断される。上記先端が上記頭部の上記表面に接触している間に、上記デバイスはＮＩＲ光を上記表面に照射しながら上記表面上を通過する。血腫又は出血性事象の有無は、上記デバイスの上記本体上に位置する光の照射によって示される。
【００５４】
従って、上記光学撮像デバイスは、上記ＮＩＲ検出器によって収集されたデータを処理するように構成されたプロセッサを更に備え、上記プロセッサは、血腫の存在を示すためのディスプレイを有する。血腫の存在は、組織を通過する赤外光の測定特性（例えば脳の領域に関連する光学密度）に基づく。一実施形態では、上記デバイスは、撮像プロセスの現在の状態を示すために設けられる状態インジケータライトを備える。例えば、上記状態インジケータは、異なる色及び／又は点滅パターンを使用して、例えば、上記デバイスがスキャンモードであること、撮像エラーが発生したこと、又は血腫が検出されたことを示すことができる。
【００５５】
一実施形態では、上記本体は、２部品構成ハウジングとして設けられ、上記本体内に収容されるのは、機能に必要な電子部品である。一実施形態では、上記本体は、ポリマー材料で製造される。一実施形態では、上記ポリマー材料はＡＢＳプラスチックである。一実施形態では、上記ポリマー材料は難燃性である。上記本体は、射出成形若しくは押出成形プロセス又は３Ｄ印刷プロセスを含むがこれらに限定されない、当分野で周知の任意の適切な方法を使用して製造されてよい。
【００５６】
撮像プロセスは、上記デバイスの上記本体上に配置された電源スイッチを使用して起動される。一実施形態では、上記電源スイッチは、「デッドマンスイッチ（ｄｅａｄｍａｎ’ｓ  ｓｗｉｔｃｈ」として設けられ、この場合、撮像プロセスは、上記ボタンが押されているときのみ起動される。一実施形態では、上記デバイスには、左利きのユーザ及び右利きのユーザのどちらでも使用できるように、上記本体の両側に１つずつ２つのスイッチが設けられる。好ましい実施形態では、上記デバイスは、電源を容易に利用できない遠隔地域での可搬性及び使用性を考慮して、バッテリによって電力供給される。
【００５７】
本発明の一実施形態によれば、図１〜６に示されているように、上記デバイスは、デバイス１０の本体１２に、上記本体の設置表面２２を介して直接取り付けられる、着脱式キャップ２０を備える。この実施形態では、設置表面２２は、略平面状の設置面２３と、面２３の外周から延在する外壁２５とを有し、これらは共に、着脱式キャップ２０が設置される設置表面内容積２４を画定する。
【００５８】
上記設置面は、デバイス１０の上記本体内に配置される光学送受信機を受承するように適合された、複数の開口を備える。着脱式キャップ２０は、ベロー支持板４０と、上記支持板に封止係合される変形可能なベロー６０とを備える。ベロー支持板４０は、着脱式キャップ２０が設置表面内容積２４内に設置されたときに設置面２３と係合するよう成形された、第１の支持板５と、撮像される被写体の表面に面するように構成された、第２の支持板６とを備える。
【００５９】
この実施形態に係る着脱式キャップの細部は、図３〜６に示されている。
【００６０】
この実施形態では、ベロー支持板４０は、２つの固定ハウジング４３Ｂと１つの固定ハウジング４３Ａとを更に備え、固定ハウジング４３Ａ、４３Ｂはそれぞれ光導体３５Ａ又は光導体３５Ｂを受承するように適合される。３つの固定ハウジング４３Ａ、４３Ｂは、正三角形の構成で配置される。
【００６１】
この実施形態では、それぞれが可動光導体４５を受承するように適合された２つの変形可能なハウジング４４により、更なる接触点が提供される。この実施形態では、２つの変形可能なハウジング４４を上記三角形の縁部に配置することにより、最適な安定基部が維持される。
【００６２】
この実施形態では、各上記光導体は、上記デバイスの上記本体内に配置された各光学送受信機に対応する。従って、ベロー支持板４０は、第１の支持板面５に要素５３Ａ、５３Ｂを更に備え、要素５３Ａ、５３Ｂはそれぞれ、光学送受信機を嵌合受承するように適合される。この実施形態では、固定光導体３５Ａに対応する光学送受信機はＮＩＲ光源であり、固定光導体３５Ｂに対応する光学送受信機はＮＩＲ光検出器である。
【００６３】
この実施形態では、固定ハウジング４３Ａ、４３Ｂ及び変形可能なハウジング４４はそれぞれ、撮像される上記被写体の上記表面に向かって第２の支持板面６から延在する。上記固定ハウジング及び上記変形可能なハウジングそれぞれの上記先端は、撮像される上記被写体の上記表面に接触するように適合される。
【００６４】
この実施形態では、図５及び６に示されているように、変形可能なハウジング４４はばね懸架式であり、データに影響を及ぼす恐れのある任意の水平方向の移動を防ぐように設計される。ばね４７は、光の漏れを防ぐために、重複した構成の幾何学的形状によって、光路から隠される。更に、上記ばねは、任意の可能性のある生物学的汚染（血液／毛）から上記検出器を保護するために、上記検出器と上記光導体との間に配置される。ばね４７は、キャップ４９によって定位置に保持され、上記ハウジング内での光導体４５の変位は、ステー４８によって制限される。各キャップ４９は、各光学送受信機に係合するように適合される。
【００６５】
この実施形態では、光の侵入は、ベロー支持板４０と、設置表面２２の外周から延在する外壁２５との間の嵌合係合によって防止される。外壁２５は、着脱式キャップ２０を装着したときに、ベロー支持板４０と設置面２３との間の境界面を覆うように設けられる。
【００６６】
この実施形態では、変形可能なベロー６０は、第１の上部周囲リム６１及び第２の下部周囲リム６２を画定する、略Ｃ字形の断面プロファイルを有する。この実施形態では、第１の周囲リム６１は、キャップ２０を設置表面内容積２４内に設置したときに、ベロー支持板４０に封止係合し、設置表面２２の外壁２５内にフィットする。この実施形態では、キャップ２０は、追加の取付手段を必要とせずに、上部周囲リム６１が外壁２５内に弾性摩擦嵌合することによって、上記設置表面に固定された状態で保持される。
【００６７】
ベロー支持板４０の固定ハウジング４３及び変形可能なハウジング４４の先端は、不使用時には、ベロー６０の第２の周囲リム６２より上に位置する。従って、上記ハウジングの上記先端及びそこに収容される上記ファイバが、撮像される上記被写体の上記表面に確実に接触するように、ベロー６０が圧縮されることが必須要件である。従って、ベロー６０の下部周囲リム６２は、使用時に、撮像される上記被写体の上記表面に接触し、上記ベローは変形して、上記固定ハウジング及び上記変形可能なハウジングの上記先端を、撮像される上記被写体の上記表面に接触させる。
【００６８】
図３及び４に示されているように、ベロー６０には、上記ベロー内のアクティブな撮像領域の外側限界を示すマーカー６９Ａと、照射している上記光学送受信機の位置を示すマーカー６９Ｂとが設けられ、これらは全て、撮像される上記表面全体をユーザが確実にカバーするためのガイドを提供することにより、撮像プロセスを容易にする。
【００６９】
この実施形態では、上記着脱式キャップ及び上記ベローは、上記光学送受信機の三角形の構成に対応するように、三角形の形状で形成される。
【００７０】
この実施形態では、ベロー６０の上部周囲リム６１には、上記着脱式キャップを上記デバイスの上記本体に装着したときに、キャップ２０と本体１２との間の境界面の隙間１８から、光を侵入させることなく、空気を上記着脱式キャップ内部に流入させることができる、一連の溝３８が設けられる。この実施形態では、上記空気流入システムは、下部ベロー支持板上に、上記ベローの上記第１の周囲リムの溝に対応する開口６８を更に備える。この実施形態では、空気をベロー内部に流入させることができるよう、支持板４０に空気孔４６が更に設けられ、これにより、ベロー６０が撮像される上記被写体の上記表面に押しつけられたときの吸引事象を防ぐことができる。
【００７１】
この実施形態では、デバイス１０は、撮像プロセスの現在の状態を示すために設けられる状態インジケータライト１３を含む。例えば、状態インジケータ１３は、異なる色を使用して、上記デバイスがスキャンモードであること（例えば緑色）、撮像エラーが発生したこと（例えば橙色）、又は血腫が検出されたこと（例えば赤色）を示す。
【００７２】
この実施形態では、デバイス１０は、左利きのユーザ及び右利きのユーザのどちらでも使用できるように、上記本体の両側に１つずつ２つの電源ボタン１４を含み、各上記ボタンは「デッドマンスイッチ」として設けられ、この場合、撮像プロセスは、上記ボタンが押されているときのみ起動される。
【００７３】
本発明の別の実施形態によれば、図７〜１７に示されているように、上記デバイスは、着脱式キャップ２００を受承するように構成された固定基板３００を備える。図９及び１０に示されているように、固定基板３００は略平面状の本体３２０を有し、略平面状の本体３２０は、基板面３０５と、所定の構成で配置された上記平面状の本体内の複数の基板開口３１０Ａ〜３１０Ｃとを備える。基板開口３１０Ａ〜３１０Ｃはそれぞれ、光学送受信機を受承するように適合される。固定基板３００は、基板面３０５の外周から延在する外壁３１５を更に備える。外壁３１５及び基板面３０５は共に、基板内容積を画定する。
【００７４】
この実施形態では、光の侵入は、固定基板３００上の光学送受信機用の開口３１０Ａ〜３１０Ｃそれぞれの周囲に配置される隆起プロファイル３３０Ａ〜３３０Ｃと、ベロー支持板４００上の対応する凹部４１５Ａ〜４１５Ｃとの嵌め合いによって形成される、固定基板３００とベロー支持板４００との間の嵌合係合によって防止される。
【００７５】
この実施形態では、光の侵入は、基板３００の外周から延在する外壁３１５の存在によっても防止される。外壁３１５は、上記着脱式キャップを装着したときに、固定基板３００とベロー支持板４００との間の境界面を覆うように設けられる。
【００７６】
図１２Ａ及び１２Ｂに示されている実施形態では、着脱式光学撮像デバイスキャップ２００は、ベロー支持板４００及び変形可能なベロー６００を備える。
【００７７】
この実施形態では、ベロー支持板４００は、第１の部分４１０及び第２の部分４２０を備える。ベロー支持板４００の第１の部分４１０は、基板内容積内にフィットするよう成形されているため、第１の支持板面４０５は、第１の部分４１０を基板内容積内に配置すると、固定基板面３０５に嵌合係合する。ベロー支持板４００は、撮像される上記被写体の表面に面するように構成された第２の支持板面４０６と、撮像される上記表面に向かって第２の支持板面４０６から延在する３つの固定ハウジング４３０Ａ、４３０Ｂ及び２つの変形可能なハウジング４４０とを更に有する。固定ハウジング４３０Ａ、４３０Ｂはそれぞれ、固定光導体４３５を受承するように適合され、各固定光導体４３５は、上記第１の光学送受信機のうちの１つに対応する。変形可能なハウジング４４０はそれぞれ、光導体４４５を受承するように適合され、各光導体４４５は、上記第２の光学送受信機に対応する。更に、上記固定ハウジング及び上記変形可能なハウジングはそれぞれ、撮像される上記被写体の上記表面に接触するように適合された先端４３２Ａ、４３２Ｂ、４４２を有する。
【００７８】
ベロー支持板４００の第２の部分は、検出器への周辺光の侵入を排除するために、変形可能なベロー６００に封止係合するように適合される。
【００７９】
上述したように、ベロー支持板４００は、固定基板３００上の光学送受信機用の開口３１０Ａ〜３１０Ｃを囲む隆起プロファイル３３０Ａ〜３３０Ｃを受承するよう、適切にサイズ設定及び配置された、凹部／ディンプル４１５Ａ〜４１５Ｃを備える。図１１は、ベロー支持板４００上の凹状開口４１５Ａ〜４１５Ｃの一実施形態を示している。凹状開口４１５Ａ〜４１５Ｃ各隆起プロファイル３３０Ａ〜３３０Ｃとの嵌め合いは、着脱式キャップ２００用の接続面において上記光源と上記検出器との間の光の漏れを防ぐように設計される。
【００８０】
従って、ベロー支持板４００上の３つの固定ハウジング４３０Ａ、４３０Ｂはそれぞれ、３つの光学送受信機１１０のうちの１つに対応するように設けられる。固定ハウジング４３０Ａ、４３０Ｂはそれぞれ、光学的に透明な材料で形成された光導体４３５を収容する。
【００８１】
この実施形態では、変形可能なハウジング４４０により、更なる接触点が提供される。この実施形態では、２つの変形可能なハウジング４４０を三角形の縁部に配置することにより、最適な安定基部が維持される。これらの変形可能なハウジング４４０はそれぞれ、光導体４３５を収容する。
【００８２】
上記変形可能なハウジングは、ばね懸架式であり、データに影響を及ぼす恐れのある任意の水平方向の移動を防ぐように設計される。ばね４４７は、光の漏れを防ぐために、重複した構成の幾何学的形状によって、光路から隠される。更に、上記ばねは、任意の可能性のある生物学的汚染（血液／毛）から上記検出器を保護するために、上記検出器と上記光導体との間に配置される。ばね４４７は、ばね板４４８によって定位置に保持される。
【００８３】
図１６は、この実施形態に係る着脱式キャップ２００の分解図であり、変形可能なハウジング４４０の部品の図を含む。
【００８４】
本発明のこの実施形態では、図１５に示されているように、着脱式光学撮像デバイスキャップ２００は、ベロー支持板４００に封止係合される変形可能なベロー６００を備える。
【００８５】
この実施形態では、変形可能なベロー６００は、第１の上部周囲リムと第２の下部周囲リムとを画定する略Ｃ字形の断面プロファイルを有する。Ｃ字形のプロファイルは、図１５に明確に示されている。ベロー６００は、第１の周囲リムにおいて、ベロー支持板上に配置されたフランジと封止嵌合することによって、ベロー支持板の第２の部分に封止係合するように適合される。
【００８６】
ベロー支持板４００のハウジング４３０Ａ、４３０Ｂ、４４０の先端４３２Ａ、４３２Ｂ、４４２は、不使用時には、ベロー６００の第２の周囲リム６２０より上に位置する。従って、ハウジングの先端、ひいては、そこに収容されるファイバが確実に撮像される被写体の表面に接触するように、ベロー６００が圧縮されることが必須要件である。
【００８７】
図１２Ｂに示されているように、確実に光密状態にすると同時に、上記ベローが撮像される上記表面と接触したときの吸引作用を防ぐために、ベロー６００には、上記リムに沿ってＳ字型の溝が設けられる。この実施形態では、Ｓ字型溝とマット仕上げとを組み合わせて、光をトラップすると同時に、空気通路を形成でき、これにより、成形シリコーンベローが撮像される上記被写体の上記表面に対して「封着する」のを防ぎ、上記デバイスが使用時に上記表面を自由に移動できるようにする。
【００８８】
図１６に示されている実施形態によれば、ベロー支持板４００を固定基板３００に可逆的に取り付けるための取付手段が設けられる。
【００８９】
この実施形態では、上記取付手段は、タブ‐スロット機構によって形成され、タブ５１０はベロー支持板４００上に配置され、スロット５２０は基板３００の外壁３１５上に配置される。封止部を形成するために、タブ５１０がスロット５２０に挿入され、次に固定基板３００が定位置に「ヒンジ連結（ｈｉｎｇｅ）」し、固定基板３００とベロー支持板４００との間に封止部が形成される。この実施形態では、上記取付手段は、ベローの外縁に配置された１つ又は複数の「ソフトボタン」５３０を更に備え、上記ソフトボタンは、外壁３１５の内表面に配置された凹部３４０内に「押し込む（ｃｌｉｃｋ）」ように位置決めされる。
【００９０】
上記取付手段は、タブ５１０がスロット５２０に係合されたときに、凹部４１５Ａ〜４１５Ｃとそれぞれの隆起プロファイル３３０Ａ〜３３０Ｃとが位置合わせされるように構成される。また、この構成により、送受信機がベロー支持板４００の凹部／ディンプルに最適な形で収まる。
【００９１】
一実施形態では、上記取付手段はバヨネット式嵌合によって形成されるが、「イン／アウト（ｉｎ／ｏｕｔ）」接続が容易である任意の手段は適切であり、本発明の範囲内にあると考えられる。
【００９２】
具体例を参照しながら、本発明について説明する。以下の例は、本発明の実施形態を説明するためのものであって、決して本発明を制限するものではないことは理解されるであろう。
【実施例】
【００９３】
実施例１：携帯用光学撮像デバイス
図１Ａ、１Ｂ及び２Ａ、２Ｂは、本発明に係る携帯用光学撮像デバイス１０の一実施形態を示している。光学撮像デバイス１０は、ユーザの手の中に容易に収まるよう適切にサイズ設定及び成形された本体１２に取り付けられる着脱式キャップ２０を備える。
【００９４】
図１Ａ、１Ｂ及び２Ａ、２Ｂに示されている実施形態では、上記デバイスは、１つのＮＩＲ光源１８０と、４つのＮＩＲ光検出器１７０とを備える
【００９５】
この実施形態の光学撮像デバイスの分解図は、図２Ｂに示されている。図２Ｂは、上記本体を形成する２部品ハウジング１２０Ａ、１２０Ｂを示している。ハウジング１２０Ａ、１２０Ｂは、その内部に、機能に必要な電子装置１６０と、撮像プロセスの間に得られたデータを分析するために必要なプロセッサとを収容するように設計される。
【００９６】
実施例２：携帯用光学撮像デバイス
図７Ａ〜７Ｃ及び８は、本発明に係る携帯用光学撮像デバイス１００の別の実施形態を示している。光学撮像デバイス１００は、ユーザの手の中に容易に収まるような適切なサイズ及び形状の本体に取り付けられる着脱式キャップ２００を備える。
【００９７】
図７Ａ〜７Ｃ及び８に示されている実施形態では、上記デバイスは、１つのＮＩＲ光源８８０と、４つのＮＩＲ光検出器８７０とを備える。
【００９８】
この実施形態の光学撮像デバイスの分解図は、図８に示されている。図８は、上記本体を形成する２部品ハウジング８２０Ａ、８２０Ｂを示している。ハウジング８２０Ａ、８２０Ｂは、その内部に、機能に必要な電子装置８６０と、撮像プロセスの間に得られたデータを分析するのに必要なプロセッサとを収容するように設計される。
【００９９】
使用前に、着脱式キャップ２００は、固定基板３００に取り付けることによって装着される。上記デバイスは、バッテリ（図示せず）によって電力供給される。
【０１００】
実施例３：ハイブリッド軍用フラッシュライト／光学撮像デバイス
図１８〜２０は、本発明の代替形態の携帯用光学撮像デバイス７００を示している。この実施形態は、標準仕様の軍用フラッシュライトの修正に基づいている。この実施形態では、光学撮像デバイス７００は、軍用フラッシュライトの主本体７２０に取り付けられる着脱式キャップ７２５を備え、上記フラッシュライトのヘッド７１０には、標準的なフラッシュライト機能の他に、着脱式キャップ７２５を受承するためのキャップポート７３０が設けられる。光学撮像デバイスとして使用しないときには、図１９に示されているように、着脱式キャップ７２５は取り外され、キャップポート７３０はポートカバー７３５によって覆われる。撮像デバイスとして使用する前に、着脱式キャップ７２５は、キャップポート７３０に取り付けることによって装着される。
【０１０１】
図１８は、着脱式キャップ７２５がキャップポート７３０に装着された状態の、軍用の実施形態を示している
【０１０２】
図２０に示されている実施形態では、上記デバイスは、１つのＮＩＲ光源７８０と、４つのＮＩＲ光検出器７７０とを備える。
【０１０３】
この実施形態の光学撮像デバイスの分解図は、図２０に示されている。図２０は、デバイス７００の主本体７２０を形成する、細長ハウジングを示している。上記ハウジングは、その内部に、機能に必要な電子装置７６０と、撮像プロセスの間に得られたデータを分析するのに必要なプロセッサを収容するように設計される。フラッシュライト電源スイッチ７９０は、フラッシュライト機能を起動させるために設けられ、撮像デバイス電源スイッチ（図示せず）は、撮像機能を起動させるために設けられている。上記デバイスは、バッテリ７５０によって電力供給される。
【０１０４】
本発明の上述の実施形態は例であり、多数の方法で変更可能であることは明らかである。このような現在又は将来の変更は、本発明の精神及び範囲から逸脱するものとは見なされず、当業者には明らかであろう全てのこのような修正は、以下の請求項の範囲内に含まれるものとする。
【図１Ａ】
0006696998.tif 000002
【図１Ｂ】
0006696998.tif 000003
【図２Ａ】
0006696998.tif 000004
【図２Ｂ】
0006696998.tif 000005
【図３】
0006696998.tif 000006
【図４】
0006696998.tif 000007
【図５】
0006696998.tif 000008
【図６】
0006696998.tif 000009
【図７Ａ】
0006696998.tif 000010
【図７Ｂ】
0006696998.tif 000011
【図７Ｃ】
0006696998.tif 000012
【図８】
0006696998.tif 000013
【図９】
0006696998.tif 000014
【図１０】
0006696998.tif 000015
【図１１】
0006696998.tif 000016
【図１２Ａ】
0006696998.tif 000017
【図１２Ｂ】
0006696998.tif 000018
【図１３】
0006696998.tif 000019
【図１４】
0006696998.tif 000020
【図１５】
0006696998.tif 000021
【図１６】
0006696998.tif 000022
【図１７】
0006696998.tif 000023
【図１８】
0006696998.tif 000024
【図１９】
0006696998.tif 000025
【図２０】
0006696998.tif 000026